(57)【要約】【課題】ＶＡＶ空調システムなどの変風量空調システムにおいて、被制御エリアに対する現在の空調制御状態の良し悪しの迅速な把握を可能とする。【解決手段】ＶＡＶユニットのダンパ開度θと室内温度と設定温度との温度偏差Δｔとから空調機のファンの静圧状態を判定する（静圧過剰／静圧適切／静圧不足）。ＶＡＶユニットの給気の吹出量Ｑから風量比αを求め、風量比αと温度偏差Δｔとから空調機のファンの送風量状態（送風量過剰／送風量適切／送風量不足）を判定する。この判定結果に基づき、ダンパ開度θを縦軸、風量比αを横軸とした２次元グラフＧ１に、風量比α，ダンパ開度θをプロットする。【選択図】        図４
2004308957.tif 000002
【特許請求の範囲】
【請求項１】
空調機と、この空調機からの被制御エリアへの給気ダクトに設けられたダンパと、前記被制御エリアの室内温度と設定温度との温度偏差に応じて前記ダンパの開度を制御し、前記被制御エリアへの給気の吹出量を調節する給気吹出量調節手段とを備えたシステムにおいて、前記ダンパ開度、前記被制御エリアへの給気の吹出量、前記被制御エリアの室内温度と設定温度との温度偏差に基づいて前記被制御エリアに対する現在の空調制御状態を評価する空調制御状態の評価方法であって、
前記ダンパ開度と前記被制御エリアの室内温度と設定温度との温度偏差に基づいて前記空調機から前記被制御エリアへの給気の静圧状態を判定する第１ステップと、
前記被制御エリアへの給気の吹出量と前記被制御エリアの室内温度と設定温度との温度偏差に基づいて前記空調機から前記被制御エリアへの給気の供給量の状態を判定する第２ステップと
を備えたことを特徴とする空調制御状態の評価方法。
【請求項２】
請求項１に記載された空調制御状態の評価方法において、
前記第１ステップで判定した前記被制御エリアへの給気の静圧状態と前記第２ステップで判定した前記被制御エリアへの給気の供給量の状態とを２次元グラフ上に表示する第３ステップ
を備えたことを特徴とする空調制御状態の評価方法。
【請求項３】
請求項１又は２に記載された空調制御状態の評価方法において、
前記被制御エリアが複数存在し、
この複数存在する被制御エリア毎に前記ダンパおよび前記給気吹出量調節手段が設けられており、
前記被制御エリア毎に前記第１ステップによる給気の静圧状態の判定および前記第２ステップによる給気の供給量の状態の判定を行う
ことを特徴とする空調制御状態の評価方法。
【請求項４】
空調機と、この空調機からの被制御エリアへの給気ダクトに設けられたダンパと、前記被制御エリアの室内温度と設定温度との温度偏差に応じて前記ダンパの開度を制御し、前記被制御エリアへの給気の吹出量を調節する給気吹出量調節手段と、前記ダンパ開度、前記被制御エリアへの給気の吹出量、前記被制御エリアの室内温度と設定温度との温度偏差に基づいて前記被制御エリアに対する現在の空調制御状態を評価する評価手段とを備えた空調制御状態の評価装置であって、
前記評価手段は、
前記ダンパ開度と前記被制御エリアの室内温度と設定温度との温度偏差に基づいて前記空調機から前記被制御エリアへの給気の静圧状態を判定する静圧状態判定手段と、
前記被制御エリアへの給気の吹出量と前記被制御エリアの室内温度と設定温度との温度偏差に基づいて前記空調機から前記被制御エリアへの給気の供給量の状態を判定する給気供給量状態判定手段と
を備えたことを特徴とする空調制御状態の評価装置。
【請求項５】
請求項４に記載された空調制御状態の評価装置において、
前記静圧状態判定手段によって判定された前記被制御エリアへの給気の静圧状態と前記給気供給量状態判定手段によって判定された前記被制御エリアへの給気の供給量の状態とを２次元グラフ上に表示する手段
を備えたことを特徴とする空調制御状態の評価装置。
【請求項６】
請求項４又は５に記載された空調制御状態の評価装置において、
前記被制御エリアが複数存在し、
この複数存在する被制御エリア毎に前記ダンパ、前記給気吹出量調節手段、前記静圧状態判定手段および前記給気供給量状態判定手段が設けられている
ことを特徴とする空調制御状態の評価装置。
【発明の詳細な説明】
【０００１】
【発明の属する技術分野】
この発明は、ＶＡＶ（可変風量制御）空調システムなどにおける空調制御状態の評価方法および評価装置に関するものである。
【０００２】
【従来の技術】
従来より、例えばＶＡＶ空調システムでは、空調機からの被制御エリアへの給気ダクトに給気吹出量調節ユニット（ＶＡＶユニット）を設け、このＶＡＶユニットのダンパの開度θを被制御エリアの室内温度ｔｐｖと設定温度ｔｓｐとの温度偏差に応じて制御し、被制御エリアへの給気の吹出量Ｑを調節するようにしている（例えば、特許文献１，２参照）。
【０００３】
このＶＡＶ空調システムには監視盤が設けられ、この監視盤の画面に被制御エリアの現在の室内温度ｔｐｖや設定温度ｔｓｐ、被制御エリアへの給気の吹出量Ｑなどを数値で表示することにより、被制御エリアに対する現在の空調制御状態を管理者に知らせるようにしている。
【０００４】
【特許文献１】
特開２０００−３０４３３３号公報
【特許文献２】
特開２０００−３５７０１２号公報
【０００５】
【発明が解決しようとする課題】
しかしながら、上述したＶＡＶ空調システムでは、被制御エリアの現在の室内温度ｔｐｖや設定温度ｔｓｐ、被制御エリアへの給気の吹出量Ｑなどが監視盤に数値で表示されるのみであるため、管理者は、被制御エリアに対する現在の空調制御状態の良し悪しを迅速に把握することができず、判定が遅れるなどという問題があった。
【０００６】
本発明はこのような課題を解決するためになされたもので、その目的とするところは、ＶＡＶ空調システムなどの変風量空調システムにおいて、被制御エリアに対する現在の空調制御状態の良し悪しの迅速な把握を可能とする空調制御状態の評価方法および評価装置を提供することにある。
【０００７】
【課題を解決するための手段】
このような目的を達成するために本発明は、空調機と、この空調機からの被制御エリアへの給気ダクトに設けられたダンパと、被制御エリアの室内温度と設定温度との温度偏差に応じてダンパの開度を制御し、被制御エリアへの給気の吹出量を調節する給気吹出量調節手段とを備えたシステムにおいて、ダンパ開度と被制御エリアの室内温度と設定温度との温度偏差に基づいて空調機から被制御エリアへの給気の静圧状態を判定するようにし、また、被制御エリアへの給気の吹出量と被制御エリアの室内温度と設定温度との温度偏差に基づいて空調機から被制御エリアへの給気の供給量の状態を判定するようにしたものである。
【０００８】
この発明によれば、ダンパ開度（θ）と被制御エリアの室内温度（ｔｐｖ）と設定温度（ｔｓｐ）との温度偏差（Δｔ）に基づいて空調機から被制御エリアへの給気の静圧状態（例えば、静圧過剰／静圧適切／静圧不足）が判定され、また、被制御エリアへの給気の吹出量（Ｑ）と被制御エリアの室内温度（ｔｐｖ）と設定温度（ｔｓｐ）との温度偏差（Δｔ）に基づいて空調機から被制御エリアへの給気の供給量の状態（例えば、送風量過剰／送風量適切／送風量不足）が判定される。
【０００９】
このようにして判定された「被制御エリアへの給気の静圧状態」と「被制御エリアへの給気の供給量の状態」とを例えば２次元グラフ上に表示することによって、すなわち評価結果を２次元グラフ上に表示することによって、被制御エリアに対する現在の空調制御状態の良し悪しの迅速な把握が可能となる。
【００１０】
なお、通常、被制御エリアは複数存在し、この複数存在する被制御エリア毎にダンパおよび給気吹出量調節手段が設けられる。この場合、被制御エリア毎に、給気の静圧状態の判定および給気の供給量の状態の判定を行う。このようにして判定された被制御エリア毎の「被制御エリアへの給気の静圧状態」と「被制御エリアへの給気の供給量の状態」とを例えば２次元グラフ上に表示することによって、各被制御エリアに対する現在の空調制御状態の良し悪しの迅速な把握が可能となる。
【００１１】
【発明の実施の形態】
以下、本発明を図面に基づいて詳細に説明する。図１はこの発明に係る空調制御状態の評価方法の実施に用いるＶＡＶ空調システムの一例を示す計装図である。
同図において、１は空調機であり、制御弁２を介して冷水ＣＷが供給される冷却コイル３、制御弁４を介して温水ＨＷが供給される加熱コイル５およびファン６により構成されている。
【００１２】
７は制御弁２，４およびファン６の動作を制御する制御装置、１５は制御装置７に接続された表示装置である。このＶＡＶ空調システムでは、冷却コイル３，加熱コイル５を通りファン６より吹き出される空調機１からの給気が、給気ダクト８を介して被制御エリア９−１〜９−ｎへ供給される。給気ダクト８には空調機１からの給気の温度を検出する給気温度センサＴＳが設けられている。給気温度センサＴＳが検出する給気温度は制御装置７へ送られる。
【００１３】
被制御エリア９−１〜９−ｎには、各エリア毎に室内温度を検出する温度センサＴ１〜Ｔｎが設けられており、温度センサＴ１〜Ｔｎが検出する室内温度ｔｐｖ１〜ｔｐｖｎが局部的に設けられたＶＡＶコントロールユニット１０−１〜１０−ｎへ各個に与えられる。
【００１４】
ＶＡＶコントロールユニット１０（１０−１〜１０−ｎ）は、室内温度ｔｐｖ（ｔｐｖ１〜ｔｐｖｎ）と設定温度ｔｓｐ（ｔｓｐ１〜ｔｓｐｎ）との温度偏差Δｔ（Δｔ１〜Δｔｎ）および制御装置７より送られてくる給気温度とに基づいて被制御エリア９（９−１〜９−ｎ）への要求風量を演算し、この要求風量を確保するようにＶＡＶユニット１１（１１−１〜１１−ｎ）のダンパ１２（１２−１〜１２−ｎ）の開度θ（θ１〜θｎ）を、風速センサ１３（１３−１〜１３−ｎ）が検出する実風量Ｑ（Ｑ１〜Ｑｎ）を見ながら制御する。
【００１５】
ＶＡＶユニット１１（１１−１〜１１−ｎ）には、開度を示す位置スイッチ（ポジションメータなど）１４（１４−１〜１４−ｎ）が設けられており、ダンパ開度θ（θ１〜θｎ）をＶＡＶコントロールユニット１０（１０−１〜１０−ｎ）にフィードバックする。なお、開度を示す位置スイッチ１４に代えて開度制御の開度指示値を利用するようにしてもよい。さらに、風速センサ１３（１３−１〜１３−ｎ）が検出する実風量Ｑ（Ｑ１〜Ｑｎ）は、被制御エリア９（９−１〜９−ｎ）への給気の吹出量としてＶＡＶコントロールユニット１０（１０−１〜１０−ｎ）へ与えられる。
【００１６】
図２はＶＡＶコントロールユニット１０が有する本実施の形態特有の機能を示す機能ブロック図である。ＶＡＶコントロールユニット１０は、風量比算出部１０Ａと、ファン静圧状態判定部１０Ｂと、ファン送風量状態判定部１０Ｃとを備えている。本実施の形態では、この風量比算出部１０Ａと、ファン静圧状態判定部１０Ｂと、ファン送風量状態判定部１０Ｃとよって、被制御エリア９に対する現在の空調制御状態を評価する評価手段が構成されている。なお、ＶＡＶコントロールユニット１０は、プロセッサや記憶装置からなるハードウェアと、これらのハードウェアと協働してＶＡＶコントロールユニットとしての各種機能を実現させるプログラムとによって実現される。
【００１７】
〔風量比算出部〕
風量比算出部１０Ａは、ＶＡＶユニット１１からの被制御エリア９への現在の給気の吹出量Ｑを入力とし、予め定められている吹出量下限値Ｑｍｉｎと吹出量上限値Ｑｍａｘとから、下記（１）式に従って風量比αを算出する。
α＝〔（Ｑ−Ｑｍｉｎ）／（Ｑｍａｘ−Ｑｍｉｎ）〕×１００（％）  ・・・・（１）
【００１８】
〔ファン静圧状態判定部〕
ファン静圧状態判定部１０Ｂは、ＶＡＶユニット１１からのダンパ開度θと温度センサＴからの室内温度ｔｐｖと設定温度ｔｓｐとを入力とし、ファン６の静圧状態（ファン静圧状態：空調機１から被制御エリア９への給気の静圧状態）を判定する。
【００１９】
本実施の形態では、室内温度ｔｐｖと設定温度ｔｓｐとの温度偏差Δｔ（Δｔ＝｜ｔｐｖ−ｔｓｐ｜）に対して許容誤差εを定め、また、ダンパ開度θに対して最大開度θｍａｘ（この例では、１００％）と最小開度θｍｉｎ（この例では、８５％）とを定め、ダンパ開度θがθ＜θｍｉｎでかつΔｔ＞εの場合を「静圧過剰」と判定する。また、ダンパ開度θがθｍｉｎ≦θ≦θｍａｘでかつΔｔ≦εの場合を「静圧適切」と判定し、ダンパ開度θがθ＞θｍａｘでかつΔｔ＞εの場合を「静圧不足」と判定する。
【００２０】
なお、本実施の形態において、最大開度θｍａｘ＝１００％とは、ダンパ１２の全開状態ではなく、全開状態よりも少し手前に設定された最大開度にある状態をいう。
【００２１】
〔ファン送風量状態判定部〕
ファン送風量状態判定部１０Ｃは、ＶＡＶユニット１１からの給気の吹出量Ｑと温度センサＴからの室内温度ｔｐｖと設定温度ｔｓｐとを入力とし、ファン６の送風量状態（ファン送風量状態：空調機１から被制御エリア９への給気の供給量の状態）を判定する。
【００２２】
本実施の形態では、室内温度ｔｐｖと設定温度ｔｓｐとの温度偏差Δｔ（Δｔ＝｜ｔｐｖ−ｔｓｐ｜）に対して許容誤差εを定め、また、風量比αに対して最大風量比αｍａｘ（この例では、１００％）と最小風量比αｍｉｎ（この例では、０％）を定め、風量比αがα＜αｍｉｎでかつΔｔ＞εの場合を「送風量過剰」と判定する。また、風量比αがαｍｉｎ≦α≦αｍａｘでかつΔｔ≦εの場合を「送風量適切」と判定し、風量比αがα＞αｍａｘでかつΔｔ＞εの場合を「送風量不足」と判定する。
【００２３】
なお、本実施の形態において、風量比αがα＜０％ということは、現在の給気の吹出量ＱがＱ＜Ｑｍｉｎであることを意味し、風量比αがα＞１００％ということは、現在の吹出量ＱがＱ＞Ｑｍａｘであることを意味する。
【００２４】
図３は制御装置７が有する本実施の形態特有の機能を示す機能ブロック図である。制御装置７は空調制御状態プロット部７Ａを備えている。空調制御状態プロット部７Ａは、ＶＡＶコントロールユニット１０から送られてくるダンパ開度θ、風量比α、ファン静圧状態およびファン送風量状態を入力とし、図４に示す２次元グラフＧ１にダンパ開度θと風量比αとで定まる点を被制御エリア９に対する現在の空調制御状態の状態点としてプロットする。なお、制御装置７は、プロセッサや記憶装置からなるハードウェアと、これらのハードウェアと協働して制御装置としての各種機能を実現させるプログラムとによって実現される。
【００２５】
〔２次元グラフ〕
２次元グラフＧ１は、表示装置１５の画面上に表示されるオンライン評価グラフであり、ダンパ開度θを縦軸（又は、横軸）、風量比αを横軸（又は、縦軸）とする。ダンパ開度θが０％≦θ＜８５％の範囲は静圧過剰域を示し、８５％≦θ≦１００％の範囲は静圧適切域を示し、１００％＜θ＜上限％は静圧不足域を示す。風量比αが下限％＜α＜０％の範囲は送風量過剰域を示し、０％≦α≦１００％は送風量適切域を示し、１００％＜α＜上限％は送風量不足域を示す。本実施の形態では、縦軸の静圧不足域，静圧適切域，静圧過剰域と横軸の送風量過剰域，送風量適切域，送風量不足域とによって、２次元グラフＧ１を領域Ａ，Ｂ，Ｃ，Ｄ，Ｅ，Ｆ，Ｇの７つの領域に分けている。
【００２６】
２次元グラフＧ１において、領域Ａは静圧，送風量共に適切である領域を示し、領域Ｂは静圧は不足しているが送風量は適切である領域を示している。領域Ｃは静圧は過剰であるが送風量は適切である領域を示し、領域Ｄは静圧は適切あるいは過剰であり、送風量は不足である領域を示している。領域Ｅは静圧は適切あるいは過剰であり、送風量は過剰である領域を示している。領域Ｆは静圧，送風量共に不足である領域を示している。領域Ｇは静圧が不足、送風量が過剰である領域を示している。なお、領域ＤやＥを静圧適切域と静圧過剰域とによって、２つの領域に分割するようにしてもよい。
【００２７】
以下、説明を簡単とするために１つの被制御エリア９−１を例にとって、制御装置７による２次元グラフＧ１への現在の空調制御状態の状態点のプロット（評価結果のプロット）について説明する。
【００２８】
〔領域Ａへのプロット〕
図５は、ＶＡＶコントロールユニット１０−１で算出された風量比α１が５０％、ダンパ開度θ１が９５％、温度偏差Δｔ１がΔｔ１≦εである場合の２次元グラフＧ１への状態点のプロット例を示している。この場合、ＶＡＶコントロールユニット１０−１は、制御装置７へファン静圧状態として「静圧適切」を送り、ファン送風量状態として「送風量適切」を送るので、制御装置７は２次元グラフＧ１の領域Ａにダンパ開度θ１と風量比α１とで定まる状態点Ｐ１をプロットする。
【００２９】
〔領域Ｂへのプロット〕
図６は、ＶＡＶコントロールユニット１０−１で算出された風量比α１が５０％、ダンパ開度θ１がθ１＞１００％、温度偏差Δｔ１がΔｔ１＞εである場合の２次元グラフＧ１への状態点のプロット例を示している。この場合、ＶＡＶコントロールユニット１０−１は、制御装置７へファン静圧状態として「静圧不足」を送り、ファン送風量状態として「送風量適切」を送るので、制御装置７は２次元グラフＧ１の領域Ｂにダンパ開度θ１と風量比α１とで定まる状態点Ｐ１をプロットする。
【００３０】
〔領域Ｃへのプロット〕
図７は、ＶＡＶコントロールユニット１０−１で算出された風量比α１が５０％、ダンパ開度θ１が８０％、温度偏差Δｔ１がΔｔ１＞εである場合の２次元グラフＧ１への状態点のプロット例を示している。この場合、ＶＡＶコントロールユニット１０−１は、制御装置７へファン静圧状態として「静圧過剰」を送り、ファン送風量状態として「送風量適切」を送るので、制御装置７は２次元グラフＧ１の領域Ｃにダンパ開度θ１と風量比α１とで定まる状態点Ｐ１をプロットする。
【００３１】
〔領域Ｄへのプロット〕
図８は、ＶＡＶコントロールユニット１０−１で算出された風量比α１がα１＞１００％、ダンパ開度θ１が９２％、温度偏差Δｔ１がΔｔ１＞εである場合の２次元グラフＧ１への状態点のプロット例を示している。この場合、ＶＡＶコントロールユニット１０−１は、制御装置７へファン静圧状態として「静圧適切」を送り、ファン送風量状態として「送風量不足」を送るので、制御装置７は２次元グラフＧ１の領域Ｄにダンパ開度θ１と風量比α１とで定まる状態点Ｐ１をプロットする。室内空調負荷が過大の場合、送風温度差（給気温度と室内温度との差が）過小の場合などに、このような現象が現れる。
【００３２】
〔領域Ｅへのプロット〕
図９は、ＶＡＶコントロールユニット１０−１で算出された風量比α１がα１＜０％、ダンパ開度θ１が９３％、温度偏差Δｔ１がΔｔ１＞εである場合の２次元グラフＧ１への状態点のプロット例を示している。この場合、ＶＡＶコントロールユニット１０−１は、制御装置７へファン静圧状態として「静圧適切」を送り、ファン送風量状態として「送風量過剰」を送るので、制御装置７は２次元グラフＧ１の領域Ｅにダンパ開度θ１と風量比α１とで定まる状態点Ｐ１をプロットする。室内空調負荷が過小の場合、送風温度差が過大の場合などに、このような現象が現れる。
【００３３】
〔領域Ｆへのプロット〕
図１０は、ＶＡＶコントロールユニット１０−１で算出された風量比α１がα１＞１００％、ダンパ開度θ１がθ１＞１００％、温度偏差Δｔ１がΔｔ１＞εである場合の２次元グラフＧ１への状態点のプロット例を示している。この場合、ＶＡＶコントロールユニット１０−１は、制御装置７へファン静圧状態として「静圧不足」を送り、ファン送風量状態として「送風量不足」を送るので、制御装置７は２次元グラフＧ１の領域Ｆにダンパ開度θ１と風量比α１とで定まる状態点Ｐ１をプロットする。室内空調負荷が設計条件を超えた場合、給気温度制限によって現在負荷に対して送風温度差が過小の場合などに、このような現象が現れる。
【００３４】
〔領域Ｇへのプロット〕
図１１は、ＶＡＶコントロールユニット１０−１で算出された風量比α１がα１＜０％、ダンパ開度θ１がθ１＞１００％、温度偏差Δｔ１がΔｔ１＞εである場合の２次元グラフＧ１への状態点のプロット例を示している。この場合、ＶＡＶコントロールユニット１０−１は、制御装置７へファン静圧状態として「静圧不足」を送り、ファン送風量状態として「送風量過剰」を送るので、制御装置７は２次元グラフＧ１の領域Ｇにダンパ開度θ１と風量比α１とで定まる状態点Ｐ１をプロットする。ＶＡＶ空調システムが正常な場合、このような現象は現れないので、この現象が現れたＶＡＶ空調システムは故障したことを意味する。
【００３５】
以上、被制御エリア９−１を例にとり、制御装置７による２次元グラフＧ１への現在の空調制御状態の状態点のプロットについて説明した。
このＶＡＶ空調システムでは、被制御エリア９が複数存在し、この複数存在する被制御エリア９毎にＶＡＶユニット１１およびＶＡＶコントロールユニット１０が設けられている。ＶＡＶコントロールユニット１０−２（図示せず）〜１０−ｎも、ＶＡＶコントロールユニット１０−１と同様に、ダンパ開度θ、風量比α、ファン静圧状態およびファン送風量状態を制御装置７へ送る。
制御装置７は、ＶＡＶコントロールユニット１０−２〜１０−ｎから送られてくるダンパ開度θ、風量比α、ファン静圧状態およびファン送風量状態に基づいて、被制御エリア９−２（図示せず）〜９−ｎについても被制御エリア９−１と同様に、現在の空調制御状態の状態点をプロットする。
【００３６】
被制御エリア９−１〜９−ｎに対する現在の空調制御状態の状態点のプロット例を図１２，図１３，図１４に示す。
図１２の例において、被制御エリア９−１〜９−ｎに対する現在の空調制御状態の状態点は全てが領域Ａに入っており、この表示状況から全てが静圧，送風量共に適切であることが一目で分かる。風量比αは多少ばらついているが、ダンパ開度θは全てが１００％に近い。このような状態は、被制御エリア９−１〜９−ｎの負荷パターンがよく一致し、極少ない理想的な状態である。
【００３７】
図１３の例において、被制御エリア９−１〜９−ｎに対する現在の空調制御状態の状態点は、領域Ａと領域Ｃに分散している。すなわち、静圧，送風量共に適切であるものと、送風量は適切であるが静圧が過剰であるものとが混在している。このような状態は、一般的なＶＡＶ空調システムにおいて、よく見受けられる状態である。
【００３８】
図１４の例において、被制御エリア９−１〜９−ｎに対する現在の空調制御状態の状態点は、領域Ａと領域Ｃに分散し、さらに１つが領域Ｄに、もう１つが領域Ｅに入っている。すなわち、静圧，送風量共に適切であるものと、送風量は適切であるが静圧が過剰であるものと、静圧は適切であるが送風量が不足しているものと、静圧，送風量共に過剰であるものとが混在している。このような状態は、負荷パターンが一致しない被制御エリア９−１〜９−ｎが１つのＶＡＶ空調システムにまとめられた場合に、よく見受けられる状態である。
【００３９】
このように、本実施の形態によれば、２次元グラフＧ１にプロットされる状態点によって、被制御エリア９−１〜９−ｎに対する現在の空調制御状態の良し悪しの迅速な把握が可能となり、運転管理の効率化、高品質化、省力化を図ることができるようになる。
【００４０】
なお、図１には被制御エリア９が複数あるＶＡＶ空調システムを示したが、被制御エリア９が１つの場合でも同様にして適用することができることは言うまでもない。
また、上述した実施の形態では、領域Ａ〜Ｇに状態点だけをプロットするようにしたが、この状態点のプロットと合わせてその領域を着色表示するようにしてもよい。また、状態点はプロットせずに、その領域のみを着色表示するなどとしてもよい。
【００４１】
【発明の効果】
以上説明したことから明らかなように本発明によれば、ダンパ開度と被制御エリアの室内温度と設定温度との温度偏差に基づいて空調機から被制御エリアへの給気の静圧状態を判定するようにし、また、被制御エリアへの給気の吹出量と被制御エリアの室内温度と設定温度との温度偏差に基づいて空調機から被制御エリアへの給気の供給量の状態を判定するようにしたので、「被制御エリアへの給気の静圧状態」と「被制御エリアへの給気の供給量の状態」とを例えば２次元グラフ上に表示することによって、被制御エリアに対する現在の空調制御状態の良し悪しの迅速な把握が可能となり、運転管理の効率化、高品質化、省力化を図ることができるようになる。
【図面の簡単な説明】
【図１】本発明に係る空調制御状態の評価方法の実施に用いるＶＡＶ空調システムの一例を示す計装図である。
【図２】このＶＡＶ空調システムにおけるＶＡＶコントロールユニットが有する特有の機能を示す機能ブロック図である。
【図３】このＶＡＶ空調システムにおける制御装置が有する特有の機能を示す機能ブロック図である。
【図４】このＶＡＶ空調システムにおける表示装置の画面上に表示される２次元グラフ（オンライン評価グラフ）を示す図である。
【図５】２次元グラフへの被制御エリアに対する現在の空調制御状態の状態点のプロットについて説明する図である。
【図６】２次元グラフへの被制御エリアに対する現在の空調制御状態の状態点のプロットについて説明する図である。
【図７】２次元グラフへの被制御エリアに対する現在の空調制御状態の状態点のプロットについて説明する図である。
【図８】２次元グラフへの被制御エリアに対する現在の空調制御状態の状態点のプロットについて説明する図である。
【図９】２次元グラフへの被制御エリアに対する現在の空調制御状態の状態点のプロットについて説明する図である。
【図１０】２次元グラフへの被制御エリアに対する現在の空調制御状態の状態点のプロットについて説明する図である。
【図１１】２次元グラフへの被制御エリアに対する現在の空調制御状態の状態点のプロットについて説明する図である。
【図１２】２次元グラフへの複数の被制御エリアに対する現在の空調制御状態の状態点のプロットについて説明する図である。
【図１３】２次元グラフへの複数の被制御エリアに対する現在の空調制御状態の状態点のプロットについて説明する図である。
【図１４】２次元グラフへの複数の被制御エリアに対する現在の空調制御状態の状態点のプロットについて説明する図である。
【符号の説明】
１…空調機、２，４…制御弁、３…冷却コイル、５…加熱コイル、６…ファン、７…制御装置、８…給気ダクト、９（９−１〜９−ｎ）…被制御エリア、１０（１０−１〜１０−ｎ）…ＶＡＶコントロールユニット、１０Ａ…風量比算出部、１０Ｂ…ファン静圧状態判定部、１０Ｃ…ファン送風量状態判定部、１１（１１−１〜１１−ｎ）…ＶＡＶユニット、１２（１２−１〜１２−ｎ）…ダンパ、１３（１３−１〜１３−ｎ）…風速センサ、１４（１４−１〜１４−ｎ）…開度を示す位置スイッチ（ポジションメータなど）、Ｔ（Ｔ１〜Ｔｎ）…温度センサ、ＴＳ…給気温度センサ。
【図１】
2004308957.tif 000003
【図２】
2004308957.tif 000004
【図３】
2004308957.tif 000005
【図４】
2004308957.tif 000006
【図５】
2004308957.tif 000007
【図６】
2004308957.tif 000008
【図７】
2004308957.tif 000009
【図８】
2004308957.tif 000010
【図９】
2004308957.tif 000011
【図１０】
2004308957.tif 000012
【図１１】
2004308957.tif 000013
【図１２】
2004308957.tif 000014
【図１３】
2004308957.tif 000015
【図１４】
2004308957.tif 000016